(57)【要約】【課題】  ＵＳＢケーブルでパソコンに接続する既存のＵＳＢデバイスやパソコン等のＵＳＢ対応機器を無線ＵＳＢによるデータ転送する機能を有するものに変換する無線ＵＳＢアダプタと、この無線ＵＳＢアダプタを用いた無線ＵＳＢネットワークシステムを提供する。【解決手段】  ＵＳＢコネクタ７，１６またはＵＳＢポート１０を備え且つＵＳＢインターフェースと信号変換装置と無線ＵＳＢ送受信装置とからなる無線ＵＳＢアダプタ６，９，１４を構成する。パソコン１のＵＳＢポート２にＵＳＢコネクタを介して無線ＵＳＢアダプタ６を接続し、パソコン１２にＵＳＢコネクタを介して無線ＵＳＢアダプタ１４を接続し、無線ＵＳＢアダプタ９のＵＳＢポート１０にＵＳＢコネクタ５を接続してＵＳＢデバイス３を無線ＵＳＢアダプタ９に接続し、パソコン１，１２とＵＳＢデバイス３間のデータ転送を無線ＵＳＢにより行う。【選択図】  図２
2006164081.tif 000002
【特許請求の範囲】
【請求項１】
ＵＳＢコネクタまたは／およびＵＳＢポートを備えたＵＳＢインターフェースと信号変換装置と無線ＵＳＢ送受信装置を設けたことを特徴とする無線ＵＳＢアダプタ。
【請求項２】
請求項１記載の無線ＵＳＢアダプタをＵＳＢ対応機器に接続し、前記ＵＳＢ対応機器間のデータ転送を行うことを特徴とする無線ＵＳＢネットワークシステム。
【発明の詳細な説明】
【技術分野】
【０００１】
本発明は、パソコンとＵＳＢデバイス間等のＵＳＢ対応機器間を無線ＵＳＢによるデータ転送を行うためのアダプタとその無線ＵＳＢアダプタを用いた無線ＵＳＢネットワークシステムに関するものである。
【背景技術】
【０００２】
従来、既存のＵＳＢデバイス（ＨＤＤ，ＭＯＤ，ＣＤＤ，ＤＶＤＤ，ＦＤＤ，Ｃａｒｄ  Ｒｅａｄｅｒ等）は、図１に示すようにＵＳＢデバイス３をＵＳＢケーブル４のＵＳＢコネクタ５をパソコン１のＵＳＢポート２に接続して使用される。またＵＳＢデバイス３は最大１２７台をＵＳＢケーブルでパソコン１に繋ぐことができるが、実際に繋ぐとなるとＵＳＢケーブルの取り扱いが煩雑となるばかりでなく、離れた部屋にあるＵＳＢデバイスをパソコンに繋ぐとなると甚だ困難であった。
【０００３】
また複数のパソコンでこれらのＵＳＢデバイスを使用する際には、ＵＳＢデバイスを使用するパソコンのある場所までいちいち持って行き、ＵＳＢケーブルを繋ぎ直さなければならなかった。
【特許文献１】実用新案登録第３０９２６３４号公報
【発明の開示】
【発明が解決しようとする課題】
【０００４】
そこで本発明は、ＵＳＢケーブルでパソコンに接続する既存のＵＳＢデバイスやパソコン等のＵＳＢ対応機器を無線ＵＳＢによるデータ転送する機能を有するものに変換する無線ＵＳＢアダプタと、このアダプタを用いた無線ＵＳＢネットワークシステムを提供することを課題とするものである。
【課題を解決するための手段】
【０００５】
本発明は上記の課題を解決するためになされたもので、第１の発明はＵＳＢコネクタまたは／およびＵＳＢポートを備えたＵＳＢインターフェースと信号変換装置と無線ＵＳＢ送受信装置を設けたことを特徴とする無線ＵＳＢアダプタである。
【０００６】
第２の発明は、上記第１の発明にかかる無線ＵＳＢアダプタを各ＵＳＢ対応機器に接続し、前記ＵＳＢ対応機器間のデータ転送を行うことを特徴とする無線ネットワークシステムである。
【発明の効果】
【０００７】
第１の発明にかかる無線ＵＳＢアダプタを、従来、コネクタを介して既存のパソコンと繋いでいたＵＳＢデバイスとパソコンに取付けることにより、既存のパソコンとＵＳＢデバイス間のデータ転送を無線ＵＳＢによるデータ転送を可能にし、既存の設備を有効利用できる。またＵＳＢデバイスを複数のパソコンで共有して使用することもでき、ＵＳＢケーブルによるＵＳＢデバイスの配置に煩わされることがなく、パソコンとＵＳＢデバイスが離れた場所にある場合でも支障なくＵＳＢデバイスを使用することができる。
【０００８】
従って複数のＵＳＢ対応機器にそれぞれ第１の発明にかかる無線ＵＳＢアダプタを接続することにより、離れた場所にあるＵＳＢ対応機器について無線ＵＳＢネットワークシステムを構築することができ、データ転送に無線ＵＳＢを使用することでパソコンとＵＳＢデバイス間を４８０Ｍｂｐｓの短距離高速伝送を実現できる。
【実施例１】
【０００９】
図２は、２台のパソコンと１台のＵＳＢデバイスとで無線ＵＳＢネットワークシステムを構築する場合に本発明を適用した場合の一実施例を示す概略説明図で、１，１２はパソコン、３はＵＳＢデバイス、４，１５はＵＳＢケーブル、５，７，１６はＵＳＢコネクタ、２，１０，１３はＵＳＢポート、６，９，１４は無線ＵＳＢアダプタ、８，１１，１７はアンテナである。
【００１０】
パソコン１，１２とＵＳＢデバイス３との無線ＵＳＢよるデータ転送は、無線ＵＳＢアダプタ６をそのＵＳＢコネクタ７をパソコン１のＵＳＢポート２に接続して連繋し、ＵＳＢデバイス３にはそのＵＳＢコネクタ５を無線ＵＳＢアダプタ９のＵＳＢポート１０に接続して連繋し、パソコン１２については、そのＵＳＢポート１３に無線ＵＳＢアダプタ１４のＵＳＢコネクタ１６を接続して連繋し、パソコン１又は１２とＵＳＢデバイス３間のデータ転送を行う。
【００１１】
図３は無線ＵＳＢアダプタ６の回路構成を示すブロック図で、１８はＵＳＢコネクタ７を設けたＵＳＢインターフェース、１９は信号変換装置、２０は無線ＵＳＢ送受信装置で、信号変換装置１９はＵＳＢインターフェース１８又は無線ＵＳＢ送受信装置２０から来る信号をそれぞれＵＳＢ又は無線ＵＳＢ用の信号に変換する。変換されたそれぞれの信号はＵＳＢコネクタ７又はアンテナ８により無線ＵＳＢアダプタに接続されたパソコンや他の無線ＵＳＢアダプタに送受信される。
【００１２】
図４は無線ＵＳＢアダプタ９の回路構成を示すブロック図で、２１はＵＳＢポート１０を設けたＵＳＢインターフェース、２２は信号変換装置、２３は無線ＵＳＢ送受信装置で、信号変換装置２２はＵＳＢインターフェース２１又は無線ＵＳＢ送受信装置２３から来る信号をそれぞれＵＳＢ又は無線ＵＳＢ用の信号に変換する。変換されたそれぞれの信号はＵＳＢポート１０又はアンテナ１１により無線ＵＳＢアダプタに接続されたパソコンや他の無線ＵＳＢアダプタに送受信される。
【００１３】
前記実施例１によれば、無線ＵＳＢアダプタ６，９，１４をパソコン１，１２とＵＳＢデバイス３に設けてある既存のＵＳＢポート２，１３やＵＳＢコネクタ５にＵＳＢコネクタ７，１６とＵＳＢポート１０を用いて接続することによりそれぞれ離れた場所にあるパソコン１又はパソコン１２とＵＳＢデバイス３間の無線ＵＳＢによるデータ転送を行うことができ、パソコン１，１２はＵＳＢデバイス３を共有して使用することができる。また無線ＵＳＢアダプタ６，９，１４による無線ＬＡＮの構築も可能となるのでパソコン１と１２間の相互データ転送もすることができる。
【実施例２】
【００１４】
なお図２〜図４に示す各無線ＵＳＢアダプタ６，９，１４にはＵＳＢコネクタ又はＵＳＢポートが一つづつしかないが、ハブ機能を有するＵＳＢインターフェースを無線ＵＳＢアダプタに設け、且つ複数のＵＳＢポートとＵＳＢコネクタを備えた無線ＵＳＢアダプタとすることにより無線ＵＳＢネットワークシステムを構築する際の設計の自由度を向上させることができる。  
【図面の簡単な説明】
【００１５】
【図１】従来のパソコンとＵＳＢデバイスの接続方法を示す概略説明図。
【図２】本発明の一実施例を示す概略説明図。
【図３】本発明の無線ＵＳＢアダプタの回路構成を示すブロック図。
【図４】本発明の他の無線ＵＳＢアダプタの回路構成を示すブロック図。
【符号の説明】
【００１６】
１，１２          パソコン
２，１０，１３    ＵＳＢポート
３                ＵＳＢデバイス
４，１５          ＵＳＢケーブル
５，７，１６      ＵＳＢコネクタ
６，９，１４      無線ＵＳＢアダプタ
８，１１，１７    アンテナ
【図１】
2006164081.tif 000003
【図２】
2006164081.tif 000004
【図３】
2006164081.tif 000005
【図４】
2006164081.tif 000006